(57)【要約】      （修正有）【課題】段ボールシート等のシート材の切口が変形したり、潰れたりすることなく、かつ、強度を損なうことなく、鋭い切口で裁断できる回転刃を提供する。【解決手段】外周縁に沿って切断刃部２が形成されるシート材切断用の回転刃１であって、切断刃部２は、ノコ歯状の切断刃を備え、互いに隣接する各ノコ歯の各頂点間距離は、２．０ｍｍ〜４．０ｍｍであり、各ノコ歯の最大高さは２．０ｍｍ〜３．５ｍｍである。【選択図】図１
0003151883.tif 000002
【実用新案登録請求の範囲】
【請求項１】
外周縁に沿って切断刃部が形成されるシート材切断用の回転刃であって、
前記切断刃部は、ノコ歯状の切断刃を備え、
互いに隣接する各ノコ歯の各頂点間距離は、２．０ｍｍ〜４．０ｍｍであり、
各ノコ歯の最大高さは２．０ｍｍ〜３．５ｍｍである回転刃。
【考案の詳細な説明】
【技術分野】
【０００１】
本考案は、回転刃に関する。特に、ダンボールシート等のシート材を切断加工する回転刃に関する。
【背景技術】
【０００２】
段ボールシート等のシート材を裁断する場合、例えば、図８に示すようなスリッターが使用されている。このスリッターは、上下に配設した回転軸８１，８２に回転刃固定用の固定リング板８３，８４をキー等で軸着し、上方の固定リング板８３にリング状の回転刃８５を嵌合固定すると共に、下方の固定リング板８４に中板８６、コイルスプリング８７を介装してリング状の回転刃８８を回転刃８５と食い違い状に対設する（例えば、特許文献１参照）。
【０００３】
そして、回転軸８１、８２を段ボールシート９の移送速度と同速若しくは僅かに速い速度（例えば、１０５％程度）で進行方向に回転させながら、上下の回転刃８５、８８に段ボールシート９を挟み込んで裁断する。
【先行技術文献】
【特許文献】
【０００４】
【特許文献１】実開平６−３９３９０号公報
【考案の概要】
【考案が解決しようとする課題】
【０００５】
上記のように回転刃８５，８８でライナーと波形の中芯を貼合した中空複合体の段ボールシート９を挟み込んで裁断すると、回転刃８５、８８によって裁断開始以前に段ボールシート９が押圧変形されると共に、回転刃８５、８８の刃厚で切口が潰れ、結果として切断部近傍の段ボールシート表面に傷が発生するという問題があった。
【０００６】
このように、段ボールシート９の切口が変形したり、潰れたりすると、体裁が悪いばかりでなく、強度が損なわれるという問題もあった。
【０００７】
本考案は、このような問題を解決するためになされたものであって、段ボールシート等のシート材の切口が変形したり、潰れたりすることなく、かつ、強度を損なうことなく、鋭い切口で裁断できる回転刃を提供することを目的とする。
【課題を解決するための手段】
【０００８】
本考案の前記目的は、外周縁に沿って切断刃部が形成されるシート材切断用の回転刃であって、前記切断刃部は、ノコ歯状の切断刃を備え、互いに隣接する各ノコ歯の各頂点間距離は、２．０ｍｍ〜４．０ｍｍであり、各ノコ歯の最大高さは２．０ｍｍ〜３．５ｍｍである回転刃により達成される。
【考案の効果】
【０００９】
本考案によれば、段ボールシート等のシート材の切口が変形したり、潰れたりすることなく、かつ、強度を損なうことなく、鋭い切口で裁断できる回転刃を提供することができる。
【図面の簡単な説明】
【００１０】
【図１】本考案の一実施形態に係る回転刃の平面図である。
【図２】図１に示す回転刃の要部拡大図である。
【図３】図１のＡ−Ａ断面図である。
【図４】図１に示す回転刃の変形例における要部拡大平面図である。
【図５】図１に示す回転刃の変形例における断面図である。
【図６】図１に示す回転刃の変形例における断面図である。
【図７】図１に示す回転刃の変形例における断面図である。
【図８】段ボールシートを裁断する際に使用されるスリッターの概略構成図である。
【考案を実施するための形態】
【００１１】
以下、本考案の実施形態について添付図面を参照して説明する。図１は、本考案の一実施形態にかかる回転刃の平面図であり、図２は、図１の要部拡大図である。また、図３は、図１のＡ−Ａ断面図である。回転刃１は、段ボールシートや合成樹脂製シート等のシート材を切断したり、シート材にスリットを形成したりするための刃物であり、図１に示すように、その外周部が、平面視半円形状となる扇形状に形成されている。この回転刃１の外周部には、外周縁に沿って切断刃部２が形成されている。
【００１２】
切断刃部２は、ノコ歯状の切断刃を備えている。また、互いに隣接する各ノコ歯３の各頂点３ａ間距離Ｌは、２．０ｍｍ〜４．０ｍｍとなるように形成されており、各ノコ歯３の最大高さＨは２．０ｍｍ〜３．５ｍｍとなるように形成されている。
【００１３】
このような構成の回転刃１は、例えば、図８に示すようなスリッターに装着されて使用される。スリッターへの装着に際しては、２つの回転刃１，１を上方の固定リング板８３に取り付けると共に、更に別の２つの回転刃１，１を下方の固定リング板８４に取り付ける。各固定リング板８３，８４に取り付けられる２つの回転刃１，１は、リング状となるように配置される。また、上方の固定リング板８３に取り付けられる回転刃１，１は、下方の固定リング板８４に取り付けられる回転刃１，１と食い違い状となるように対設する。
【００１４】
本実施形態に係る回転刃１は、外周縁に沿って形成される各ノコ歯３が、互いに隣接する各ノコ歯３の各頂点３ａ間距離Ｌが、２．０ｍｍ〜４．０ｍｍとなるように、そして、各ノコ歯３の最大高さＨが２．０ｍｍ〜３．５ｍｍとなるように形成されているため、シート材を鋭い切口で裁断することができる。この結果、シート材の切口が変形したり、潰れたりすることを防止でき、シート材の強度を損なうことも防止することができる。
【００１５】
以上、本考案の一実施形態に係る回転刃１について説明したが、回転刃１の具体的構成は、上記実施形態に限定されない。例えば、上記実施形態においては、各ノコ歯３の各頂点３ａ間に介在するノコ歯３の輪郭形状３ｂが平面視Ｖ字状となるように形成しているが、図４（ａ）に示すように、輪郭形状３ｂが、平面視湾曲状となるように形成してもよく、また、図４（ｂ）に示すように、輪郭形状３ｂが、平面視において一方側に傾斜するＶ字状となるように形成してもよい。
【００１６】
また、上記実施形態においては、図３の断面図に示すように、回転刃１の外周部において、当該回転刃１の一方面から他方面にかけて傾斜する傾斜面１ａを形成して回転刃の外周縁を先鋭となるように形成しているが、図５の断面図に示すように、回転刃１の両面のそれぞれの外周部に傾斜面１ａ，１ａを形成することにより、回転刃１の外周縁を先鋭となるように形成してもよい。
【００１７】
また、図６に示すように、回転刃１に逃がし凹部５を形成してもよい。この逃がし凹部５は、回転刃１の外周部に形成される切断刃部２よりも回転刃１内側に配置されており、回転刃１の周方向に沿って伸びるように形成されている。このような逃がし凹部５を形成することにより、スリッターに取り付けられる上下の回転刃１により段ボールシートを挟み込んで裁断する際に、上下両方の回転刃１の切断刃部２が互いに接触するリスクを低減させることができ、切断刃部２の長寿命化を図ることができる。
【００１８】
また、図７に示すように、切断刃部２を、回転刃１の外周部に沿って当該回転刃１の厚み方向両側にそれぞれ形成してもよい。
【符号の説明】
【００１９】
１  回転刃
２  切断刃部
３  ノコ歯
３ａ  ノコ歯の頂点
３ｂ  ノコ歯の頂点間に介在するノコ歯の輪郭形状
５  逃がし凹部
【図１】
0003151883.tif 000003
【図２】
0003151883.tif 000004
【図３】
0003151883.tif 000005
【図４】
0003151883.tif 000006
【図５】
0003151883.tif 000007
【図６】
0003151883.tif 000008
【図７】
0003151883.tif 000009
【図８】
0003151883.tif 000010